(57)【要約】【課題】  小型化が可能なノイズフィルタを提供する。【解決手段】  本実施の形態のノイズフィルタは、第１の端子と第２の端子との間に直列に設けられた第１のインダクタ及び第２のインダクタを含む第１の導電線と、第３の端子と第４の端子とを接続する第２の導電線と、直列に設けられた第３のインダクタ及び容量素子と、第１の導電線における第１のインダクタと第２のインダクタとの間の接続部に接続された一端と、第２の導電線に接続された他端とを含むＬＣ部とを備えている。第１のインダクタ及び第２のインダクタは、コアを共通にしており、平角状の導線を用いた巻線から構成されている。【選択図】  図１
2007067941.tif 000002
【特許請求の範囲】
【請求項１】
第１の端子と第２の端子との間に直列に設けられた第１のインダクタ及び第２のインダクタを含む第１の導電線と、
第３の端子と第４の端子とを接続する第２の導電線と、
直列に設けられた第３のインダクタ及び容量素子と、前記第１の導電線における前記第１のインダクタと前記第２のインダクタとの間の接続部に接続された一端と、前記第２の導電線に接続された他端とを含むＬＣ部と、
を備え、
前記第１のインダクタ及び前記第２のインダクタは、コアを共通にしており、平角状の導線を用いた巻線から構成されており、
前記接続部は、前記平角状の導線の一部に設けられており、前記第１のインダクタ及び前記第２のインダクタを構成する前記巻線と離間している、
ノイズフィルタ。
【請求項２】
第１の端子と第２の端子との間に直列に設けられた第１のインダクタ及び第２のインダクタを含む第１の導電線と、
直列に設けられた第３のインダクタ及び容量素子と、前記第１の導電線における前記第１のインダクタと前記第２のインダクタとの間の接続部に接続された一端とを含むＬＣ部と、
第３の端子と第４の端子との間に直列に設けられた第４のインダクタ及び第５のインダクタを含んでおり、該第４のインダクタと該第５のインダクタとの間の別の接続部であって、前記ＬＣ部の他端が接続された該別の接続部を含む第２の導電線と、
を備え、
前記第１のインダクタ及び前記第２のインダクタは、コアを共通にしており、平角状の導線を用いた巻線から構成されており、
前記第４のインダクタ及び前記第５のインダクタは、コアを共通にしており、平角状の導線を用いた巻線から構成されており、
前記接続部は、前記第１のインダクタ及び前記第２のインダクタのための前記平角状の導線の一部に設けられており、前記第１のインダクタ及び前記第２のインダクタを構成する前記巻線と離間しており、
前記別の接続部は、前記第４のインダクタ及び前記第５のインダクタのための前記平角状の導線の一部に設けられており、前記第４のインダクタ及び前記第５のインダクタを構成する前記巻線と離間している、
ノイズフィルタ。
【請求項３】
前記第１のインダクタ及び前記第２のインダクタは、所定の軸線方向に順に設けられており、
前記第１のインダクタ及び前記第２のインダクタをそれぞれ構成する前記巻線は、前記所定の軸線に沿って螺旋状に設けられており、
前記第１のインダクタ、前記第２のインダクタ、及び前記接続部は、単一の平角状の導線から構成されており、
前記接続部は、前記所定の軸線方向に交差する方向に、前記第１のインダクタ及び前記第２のインダクタを構成する前記巻線より突出している、
請求項１又は２に記載のノイズフィルタ。
【請求項４】
前記第１のインダクタ及び前記第２のインダクタは、所定の軸線方向に順に設けられており、
前記第１のインダクタ及び前記第２のインダクタをそれぞれ構成する前記巻線は、前記所定の軸線に沿って螺旋状に設けられており、
前記第１のインダクタ、前記第２のインダクタ、及び前記接続部は、単一の平角状の導線から構成されており、
前記接続部は、前記所定の軸線方向に延びる直線に沿って設けられている、
請求項１又は２に記載のノイズフィルタ。
【請求項５】
前記第１のインダクタ及び前記第２のインダクタは、所定の軸線方向に順に設けられており、
前記第１のインダクタ及び前記第２のインダクタをそれぞれ構成する前記巻線は、前記所定の軸線に沿って螺旋状に設けられており、
前記第１のインダクタ、前記第２のインダクタ、及び前記接続部は、単一の平角状の導線から構成されており、
前記接続部は、前記第１のインダクタを構成する前記巻線及び前記第２のインダクタを構成する前記巻線と、前記所定の軸線方向に離間している、
請求項１又は２に記載のノイズフィルタ。
【請求項６】
前記第１のインダクタ及び前記第２のインダクタは、所定の軸線方向に順に設けられており、
前記第１のインダクタ及び前記第２のインダクタをそれぞれ構成する前記巻線は、前記所定の軸線に沿って螺旋状に設けられており、
前記接続部は、前記第１のインダクタ側の第１の部分と、前記第２のインダクタ側の第２の部分とに分割されており、
前記第１のインダクタ及び前記第１の部分は、単一且つ平角状の導線から構成されており、
前記第２のインダクタ及び前記第２の部分は、単一且つ平角状の別の導線から構成されており、
前記第１の部分及び前記第２の部分は、前記所定の軸線方向に交差する方向に、前記第１のインダクタ及び前記第２のインダクタを構成する前記巻線より突出しており、互いに結合されている、
請求項１又は２に記載のノイズフィルタ。
【請求項７】
前記第４のインダクタ及び前記第５のインダクタは、所定の軸線方向に順に設けられており、
前記第４のインダクタ及び前記第５のインダクタをそれぞれ構成する前記巻線は、前記所定の軸線に沿って螺旋状に設けられており、
前記第４のインダクタ、前記第５のインダクタ、及び前記別の接続部は、単一の平角状の導線から構成されており、
前記別の接続部は、前記所定の軸線方向に交差する方向に、前記第４のインダクタ及び前記第５のインダクタを構成する前記巻線より突出している、
請求項２に記載のノイズフィルタ。
【請求項８】
前記第４のインダクタ及び前記第５のインダクタは、所定の軸線方向に順に設けられており、
前記第４のインダクタ及び前記第５のインダクタをそれぞれ構成する前記巻線は、前記所定の軸線に沿って螺旋状に設けられており、
前記第４のインダクタ、前記第５のインダクタ、及び前記別の接続部は、単一の平角状の導線から構成されており、
前記別の接続部は、前記所定の軸線方向に延びる直線に沿って設けられている、
請求項２に記載のノイズフィルタ。
【請求項９】
前記第４のインダクタ及び前記第５のインダクタは、所定の軸線方向に順に設けられており、
前記第４のインダクタ及び前記第５のインダクタをそれぞれ構成する前記巻線は、前記所定の軸線に沿って螺旋状に設けられており、
前記第４のインダクタ、前記第５のインダクタ、及び前記別の接続部は、単一の平角状の導線から構成されており、
前記別の接続部は、前記第４のインダクタを構成する前記巻線及び前記第５のインダクタを構成する前記巻線と、前記所定の軸線方向に離間している、
請求項２に記載のノイズフィルタ。
【請求項１０】
前記第４のインダクタ及び前記第５のインダクタは、所定の軸線方向に順に設けられており、
前記第４のインダクタ及び前記第５のインダクタをそれぞれ構成する前記巻線は、前記所定の軸線に沿って螺旋状に設けられており、
前記別の接続部は、前記第４のインダクタ側の第１の部分と、前記第５のインダクタ側の第２の部分とに分割されており、
前記第４のインダクタ及び前記第１の部分は、単一且つ平角状の導線から構成されており、
前記第５のインダクタ及び前記第２の部分は、単一且つ平角状の別の導線から構成されており、
前記第１の部分及び前記第２の部分は、前記所定の軸線方向に交差する方向に、前記第４のインダクタ及び前記第５のインダクタを構成する前記巻線より突出しており、互いに結合されている、
請求項２に記載のノイズフィルタ。
【発明の詳細な説明】
【技術分野】
【０００１】
本発明は、ノイズフィルタに関するものである。
【背景技術】
【０００２】
ノイズフィルタには、コアに導線を巻きまわしたコイルが用いられている。特許文献１には、コイルと容量素子とを多段に接続した多段ＬＣフィルタによって構成されるＡＣラインフィルタが記載されている。
【特許文献１】特開平１０−２５６８５９号公報
【発明の開示】
【発明が解決しようとする課題】
【０００３】
多段ＬＣフィルタは、高いノイズ減衰率を有する。しかしながら、多段ＬＣフィルタはコイルと容量素子とを多段に接続した構成を有しているので、そのサイズが大きくなってしまう。
【０００４】
そこで、本発明は、小型化が可能なノイズフィルタを提供することを目的としている。
【課題を解決するための手段】
【０００５】
本発明の第１のノイズフィルタは、第１の端子と第２の端子との間に直列に設けられた第１のインダクタ及び第２のインダクタを含む第１の導電線と、第３の端子と第４の端子とを接続する第２の導電線と、直列に設けられた第３のインダクタ及び容量素子と、第１の導電線における第１のインダクタと第２のインダクタとの間の接続部に接続された一端と、第２の導電線に接続された他端とを含むＬＣ部とを備えており、第１のインダクタ及び第２のインダクタは、コアを共通にしており、平角状の導線を用いた巻線から構成されており、接続部は、平角状の導線の一部に設けられており、第１のインダクタ及び第２のインダクタを構成する巻線と離間している。
【０００６】
即ち、第１のノイズフィルタには、コアと、このコアに巻かれた巻線であって単一の平角状の導線を用いた巻線と、を有するコイルが設けられている。このコイルの巻線は、第１のインダクタと第２のインダクタとを構成しており、上記平角状の導線の一部は、第１のインダクタ及び第２のインダクタの間において、当該第１のインダクタ及び第２のインダクタを構成する巻線と離間している。第１のノイズフィルタにおいては、この平角状の導線の一部が接続部として用いられている。
【０００７】
第１のノイズフィルタでは、第１の端子と第３の端子との間に印加されるノーマルモードノイズ電圧が、第１のインダクタとＬＣ部とによって分圧され、第１のインダクタの両端間とＬＣ部の両端間とにそれぞれ所定の電圧が発生する。第１のインダクタと第２のインダクタとが、コアを共通にする巻線から構成されており、互いに電磁気的に結合されているので、第１のインダクタの両端間に発生した電圧に応じて第２のインダクタの両端間に所定の電圧が発生する。第２のインダクタの両端間に発生する電圧の方向は、ＬＣ部の両端間に発生する電圧の方向と逆方向であることから、これらの電圧は互いに打ち消しあう。したがって、第２の端子と第４の端子との間の電圧は、第１の端子と第３の端子との間に印加された電圧よりも小さくなる。
【０００８】
ここで、容量素子の容量値が小さければ、第１のインダクタのインダクタンス、第２のインダクタのインダクタンス、及び第３のインダクタのインダクタンスを同一の値に近づけることによって、第２の端子と第４の端子との間の電圧が第１の端子と第３の端子との間に印加された電圧よりもより小さくすることができるので、フィルタの構成部品を削減することができる。
【０００９】
また、第１のノイズフィルタでは、平角状の導線が用いられているので、導線の占有体積を小さくすることができる。
【００１０】
なお、電流をあまり必要としないコイルであれば、断面形状が丸く、線径が細い導線を使用することが出来る。このような導線であれば、コイルの巻き始めと巻き終わりの間に接続点を作製することは容易である。一般的に上記のようなコイルを作製する場合、コイルの巻き始めと巻き終わりにおいて、ボビンのピンに導線を絡げる手法をとる。同様にボビンのピンに導線を絡げることにより、接続点を作ることができる。しかし、大電流用の平角コイルを導線として使用した場合、ボビンのピンに導線を絡げることは作業上困難であり、簡単な方法で接続点を作製することが要請されている。第１のノイズフィルタに用いられている上記のコイルによれば、平角電線を使用しても容易にコイルの接続点（接続部）を作ることが出来る。
【００１１】
本発明の第２のノイズフィルタは、第１の端子と第２の端子との間に直列に設けられた第１のインダクタ及び第２のインダクタを含む第１の導電線と、直列に設けられた第３のインダクタ及び容量素子と、第１の導電線における第１のインダクタと第２のインダクタとの間の接続部に接続された一端とを含むＬＣ部と、第３の端子と第４の端子との間に直列に設けられた第４のインダクタ及び第５のインダクタを含んでおり、該第４のインダクタと該第５のインダクタとの間の別の接続部であって、ＬＣ部の他端が接続された該別の接続部を含む第２の導電線とを備えており、第１のインダクタ及び第２のインダクタは、コアを共通にしており、平角状の導線を用いた巻線から構成されており、第４のインダクタ及び第５のインダクタは、コアを共通にしており、平角状の導線を用いた巻線から構成されており、接続部は、第１のインダクタ及び第２のインダクタのための平角状の導線の一部に設けられており、第１のインダクタ及び第２のインダクタを構成する巻線と離間しており、別の接続部は、第４のインダクタ及び第５のインダクタのための平角状の導線の一部に設けられており、第４のインダクタ及び第５のインダクタを構成する巻線と離間している。
【００１２】
即ち、第２のノイズフィルタには、コアと、このコアに巻かれた巻線であって単一の平角状の導線を用いた巻線と、をそれぞれ有する二つのコイルが設けられている。一方のコイルの巻線は、第１のインダクタと第２のインダクタとを構成しており、一方のコイルを構成する上記平角状の導線の一部は、第１のインダクタ及び第２のインダクタの間において、当該第１のインダクタ及び第２のインダクタを構成する巻線と離間している。第２のノイズフィルタにおいては、この平角状の導線の一部が接続部として用いられている。
【００１３】
他方のコイルの巻線は、第４のインダクタと第５のインダクタとを構成しており、他方のコイルを構成する上記平角状の導線の一部は、第４のインダクタ及び第５のインダクタの間において、当該第４のインダクタ及び第５のインダクタを構成する巻線と離間している。第２のノイズフィルタにおいては、この平角状の導線の一部が別の接続部として用いられている。
【００１４】
第２のノイズフィルタでは、第１の端子と第３の端子との間に印加されるノーマルモードノイズ電圧が、第１のインダクタとＬＣ部と第４のインダクタとによって分圧され、第１のインダクタの両端間とＬＣ部の両端間と第４のインダクタの両端間とに、それぞれ、所定の電圧が発生する。第１のインダクタと第２のインダクタとが、コアを共通にする巻線から構成されており、互いに電磁気的に結合されているので、第１のインダクタの両端間に発生した電圧に応じて第２のインダクタの両端間に所定の電圧が発生する。同様に、第４のインダクタと第５のインダクタとが、コアを共通にする巻線から構成されており、互いに電磁気的に結合されているので、第４のインダクタの両端間に発生した電圧に応じて第５のインダクタの両端間に所定の電圧が発生する。第２のインダクタの両端間に発生する電圧の方向及び第５のインダクタの両端間に発生する電圧の方向は、ＬＣ部の両端間に発生する電圧の方向と逆方向であることから、これらの電圧は互いに打ち消しあう。したがって、第２の端子と第４の端子との間の電圧は、第１の端子と第３の端子との間に印加された電圧よりも小さくなる。
【００１５】
ここで、容量素子の容量値が小さければ、第１のインダクタのインダクタンスと第２のインダクタのインダクタンスとを同一の値に近づけ、且つ第４のインダクタのインダクタンスと第５のインダクタのインダクタンスとを同一の値に近づけ、更に第３のインダクタのインダクタンスを、第１のインダクタのインダクタンス及び第４のインダクタのインダクタンスの合計のインダクタンスの２倍の値、又は第２のインダクタのインダクタンス及び第５のインダクタのインダクタンスの合計のインダクタンスの２倍の値に近づけることによって、第２の端子と第４の端子との間の電圧が第１の端子と第３の端子との間に印加された電圧よりもより小さくすることができるので、フィルタの構成部品を削減することができる。
【００１６】
また、第２のノイズフィルタでは、平角状の導線が用いられているので、導線の占有体積を小さくすることができる。
【００１７】
また、第２のノイズフィルタに用いられている上記のコイルによれば、平角電線を使用しても容易にコイルの接続点（接続部）を作ることが出来る。
【００１８】
第１のインダクタ及び第２のインダクタは、所定の軸線方向に順に設けられており、第１のインダクタ及び第２のインダクタをそれぞれ構成する巻線は、所定の軸線に沿って螺旋状に設けられており、第１のインダクタ、第２のインダクタ、及び接続部は、単一の平角状の導線から構成されており、接続部は、所定の軸線方向に交差する方向に、第１のインダクタ及び第２のインダクタを構成する巻線より突出していることが好ましい。
【００１９】
この構成によれば、第１のインダクタと第２のインダクタとの間の接続部が、軸線方向に交差する方向に突出しているので、この接続部とＬＣ部との接続が容易である。また、第１のインダクタと第２のインダクタとが一本の導線から構成されているので、第１のインダクタと第２のインダクタとの間の接続部における信頼性が高い。
【００２０】
また、第１のインダクタ及び第２のインダクタは、所定の軸線方向に順に設けられており、第１のインダクタ及び第２のインダクタをそれぞれ構成する巻線は、所定の軸線に沿って螺旋状に設けられており、第１のインダクタ、第２のインダクタ、及び接続部は、単一の平角状の導線から構成されており、接続部は、所定の軸線方向に延びる直線に沿って設けられていることが好ましい。
【００２１】
この構成によれば、第１のインダクタと第２のインダクタとの間の接続部の周囲に隣り合う導線がないので、この接続部とＬＣ部との接続が容易である。また、第１のインダクタと第２のインダクタとが一本の導線から構成されているので、第１のインダクタと第２のインダクタとの間の接続部における信頼性が高い。
【００２２】
また、第１のインダクタ及び第２のインダクタは、所定の軸線方向に順に設けられており、第１のインダクタ及び第２のインダクタをそれぞれ構成する巻線は、所定の軸線に沿って螺旋状に設けられており、第１のインダクタ、第２のインダクタ、及び接続部は、単一の平角状の導線から構成されており、接続部は、第１のインダクタを構成する巻線及び第２のインダクタを構成する巻線と、所定の軸線方向に離間していることが好ましい。
【００２３】
この構成によれば、第１のインダクタと第２のインダクタとの間の接続部の周囲に隣り合う導線がないので、この接続部とＬＣ部との接続が容易である。また、第１のインダクタと第２のインダクタとが一本の導線から構成されているので、第１のインダクタと第２のインダクタとの間の接続部における信頼性が高い。
【００２４】
また、第１のインダクタ及び第２のインダクタは、所定の軸線方向に順に設けられており、第１のインダクタ及び第２のインダクタをそれぞれ構成する巻線は、所定の軸線に沿って螺旋状に設けられており、接続部は、第１のインダクタ側の第１の部分と、第２のインダクタ側の第２の部分とに分割されており、第１のインダクタ及び第１の部分は、単一且つ平角状の導線から構成されており、第２のインダクタ及び第２の部分は、単一且つ平角状の別の導線から構成されており、第１の部分及び第２の部分は、所定の軸線方向に交差する方向に、第１のインダクタ及び第２のインダクタを構成する巻線より突出しており、互いに結合されていることが好ましい。
【００２５】
この構成によれば、第１のインダクタと第２のインダクタとの間の接続部が、軸線方向に交差するする方向に突出しているので、この接続部とＬＣ部との接続が容易である。また、第１のインダクタと第２のインダクタとは、それぞれ分割された別の導線から製作された後に接続されるので、導線を旋回することによって巻線を製作する作業が容易である。
【００２６】
また、第４のインダクタ及び第５のインダクタは、所定の軸線方向に順に設けられており、第４のインダクタ及び第５のインダクタをそれぞれ構成する巻線は、所定の軸線に沿って螺旋状に設けられており、第４のインダクタ、第５のインダクタ、及び別の接続部は、単一の平角状の導線から構成されており、別の接続部は、所定の軸線方向に交差する方向に、第４のインダクタ及び第５のインダクタを構成する巻線より突出していることが好ましい。
【００２７】
この構成によれば、第４のインダクタと第５のインダクタとの間の別の接続部が、軸線方向に交差する方向に突出しているので、この別の接続部とＬＣ部との接続が容易である。また、第４のインダクタと第５のインダクタとが一本の導線から構成されているので、第４のインダクタと第５のインダクタとの間の別の接続部における信頼性が高い。
【００２８】
また、第４のインダクタ及び第５のインダクタは、所定の軸線方向に順に設けられており、第４のインダクタ及び第５のインダクタをそれぞれ構成する巻線は、所定の軸線に沿って螺旋状に設けられており、第４のインダクタ、第５のインダクタ、及び別の接続部は、単一の平角状の導線から構成されており、別の接続部は、所定の軸線方向に延びる直線に沿って設けられていることが好ましい。
【００２９】
この構成によれば、第４のインダクタと第５のインダクタとの間の別の接続部の周囲に隣り合う導線がないので、この別の接続部とＬＣ部との接続が容易である。また、第４のインダクタと第５のインダクタとが一本の導線から構成されているので、第４のインダクタと第５のインダクタとの間の別の接続部における信頼性が高い。
【００３０】
また、第４のインダクタ及び第５のインダクタは、所定の軸線方向に順に設けられており、第４のインダクタ及び第５のインダクタをそれぞれ構成する巻線は、所定の軸線に沿って螺旋状に設けられており、第４のインダクタ、第５のインダクタ、及び別の接続部は、単一の平角状の導線から構成されており、別の接続部は、第４のインダクタを構成する巻線及び第５のインダクタを構成する巻線と、所定の軸線方向に離間していることが好ましい。
【００３１】
この構成によれば、第４のインダクタと第５のインダクタとの間の別の接続部の周囲に隣り合う導線がないので、この別の接続部とＬＣ部との接続が容易である。また、第４のインダクタと第５のインダクタとが一本の導線から構成されているので、第４のインダクタと第５のインダクタとの間の別の接続部における信頼性が高い。
【００３２】
また、第４のインダクタ及び第５のインダクタは、所定の軸線方向に順に設けられており、第４のインダクタ及び第５のインダクタをそれぞれ構成する巻線は、所定の軸線に沿って螺旋状に設けられており、別の接続部は、第４のインダクタ側の第１の部分と、第５のインダクタ側の第２の部分とに分割されており、第４のインダクタ及び第１の部分は、単一且つ平角状の導線から構成されており、第５のインダクタ及び第２の部分は、単一且つ平角状の別の導線から構成されており、第１の部分及び第２の部分は、所定の軸線方向に交差する方向に、第４のインダクタ及び第５のインダクタを構成する巻線より突出しており、互いに結合されていることが好ましい。
【００３３】
この構成によれば、第４のインダクタと第５のインダクタとの間の別の接続部が、軸線方向に交差するする方向に突出しているので、この別の接続部とＬＣ部との接続が容易である。また、第４のインダクタと第５のインダクタとは、それぞれ分割された別の導線から製作された後に接続されるので、導線を旋回することによって巻線を製作する作業が容易である。
【発明の効果】
【００３４】
本発明によれば、小型化が可能なノイズフィルタが提供される。
【発明を実施するための最良の形態】
【００３５】
以下、図面を参照して本発明の好適な実施形態について詳細に説明する。なお、各図面において同一又は相当の部分に対しては同一の符号を附すこととする。
【００３６】
［第１の実施の形態］
図１は、本発明の第１の実施の形態に係るノイズフィルタを示す回路図である。図１に示すノイズフィルタ１０は、第１の導電線１２、第２の導電線１４、及びＬＣ部１６を備えている。
【００３７】
第１の導電線１２は、第１の端子１２ａと第２の端子１２ｂとの間に設けられている。この第１の導電線１２は、直列に設けられた第１のインダクタ１８及び第２のインダクタ２０を含んでいる。第１のインダクタ１８及び第２のインダクタ２０は、コア３０を共通にしており、平角状の導線を用いた巻線から構成されている。即ち、第１のインダクタ１８及び第２のインダクタ２０は、単一のコイルから構成されている。このコイルの構造については後述する。
【００３８】
また、第１の導電線１２は、第１のインダクタ１８と第２のインダクタ２０とを接続する接続部２２を含んでいる。この接続部２２には、ＬＣ部１６の一端が接続されている。
【００３９】
ＬＣ部１６は、直列に接続された第３のインダクタ２４と容量素子２６とを含んでいる。本実施の形態では、第３のインダクタ２４の一端が、ＬＣ部１６の一端として、接続部２２に接続されている。また、ＬＣ部１６の他端は、第２の導電線１４に接続されている。第２の導電線１４は、第３の端子１４ａと第４の端子１４ｂとを接続している。
【００４０】
次に、本実施の形態のノイズフィルタ１０の動作を説明する。第１の端子１２ａと第３の端子１４ａとの間にノーマルモードノイズ電圧Ｖｉが入力されると、当該電圧Ｖｉが第１のインダクタ１８とＬＣ部１６とによって分圧され、第１のインダクタ１８の両端間とＬＣ部１６の両端間とに、それぞれ、所定の電圧が発生する。なお、図中の矢印は、その先の方が高い電圧であることを表している。
【００４１】
ノイズフィルタ１０では、第１のインダクタ１８と第２のインダクタ２０とは、互いに電磁気的に結合されているので、第１のインダクタ１８の両端間に発生した電圧に応じて、第２のインダクタ２０の両端間に所定の電圧が発生する。第２のインダクタ２０の両端間に発生する電圧の方向は、ＬＣ部１６の両端間に発生する電圧の方向と逆方向であることから、これらの電圧は互いに打ち消しあう。したがって、第２の端子１２ｂと第４の端子１４ｂとの間の電圧は、第１の端子１２ａと第３の端子１４ａとの間に印加された電圧Ｖｉよりも小さくなる。
【００４２】
また、ノイズフィルタ１０では、第２の端子１２ｂと第４の端子１４ｂとの間にノーマルモードノイズ電圧が印加された場合にも、上述した動作と同様にして、第１の端子１２ａと第３の端子１４ａとの間の電圧は、第２の端子１２ｂと第４の端子１４ｂとの間に印加された電圧よりも小さくなる。
【００４３】
ここで、説明の簡略化のために、第１のインダクタ１８と第２のインダクタ２０との結合係数が「ｋ＝１」であり、容量素子２６のインピーダンスが「１／（２πｆＣ）＝０」である場合を考える。この場合、第１のインダクタ１８のインダクタンス、第２のインダクタ２０のインダクタンス、及び第３のインダクタ２４のインダクタンスを等しくすると、本実施の形態のノイズフィルタは、原理的に、印加されるノーマルモードノイズ電圧を０Ｖに減衰することができる。
【００４４】
より詳細には、第１の端子１２ａと第３の端子１４ａとの間にノーマルモードノイズ電圧Ｖｉが入力されると、当該電圧Ｖｉが第１のインダクタ１８と第３のインダクタ２４とによって分圧され、第１のインダクタ１８の両端間と第３のインダクタ２４の両端間とに、それぞれ、電圧１／２Ｖｉが発生する。そして、第１のインダクタ１８の両端間に発生した電圧１／２Ｖｉに応じて、第２のインダクタ２０の両端間にも電圧１／２Ｖｉが発生する。その結果、第２の端子１２ｂと第４の端子１４ｂとの間の電圧は、第２のインダクタ２０の両端間の電圧１／２Ｖｉと第３のインダクタ２４の両端間の電圧１／２Ｖｉとが相殺されることによって０Ｖとなる。
【００４５】
また、第２の端子１２ｂと第４の端子１４ｂとの間にノーマルモードノイズ電圧Ｖｉが印加された場合にも、上述した動作と同様にして、第１の端子１２ａと第３の端子１４ａとの間の電圧は０Ｖとなる。
【００４６】
なお、第１のインダクタ１８のインダクタンス、第２のインダクタ２０のインダクタンス、及び第３のインダクタ２４のインダクタンスを等しくするためには、例えば、第１のインダクタ１８及び第２のインダクタ２０に共通のコアと第３のインダクタのコアとに、それぞれ同一のコアを用い、第１のインダクタ１８の巻線（導線）の巻数、第２のインダクタ２０の巻線の巻数、及び第３のインダクタ２４の巻線の巻数を等しくすればよい。
【００４７】
このとき、第１のインダクタ１８と第２のインダクタ２０とは一つの巻線から構成されており、巻線に発生するインダクタンスは巻数の二乗に比例するので、第３のインダクタ２４のインダクタンスは、第１のインダクタ１８及び第２のインダクタ２０の一つの巻線に発生するインダクタンスの１／４と小さい値となっている。
【００４８】
実際には、第１のインダクタ１８と第２のインダクタ２０との結合係数ｋを考慮して、第３のインダクタ２４のインダクタンスを定めればよい。具体的には、第３のインダクタ２４のインダクタンスを
Ｌ３＝ｋ・（Ｌ１・Ｌ２）１／２
と定めればよい。ここで、Ｌ１は第１のインダクタ１８のインダクタンスであり、Ｌ２は第２のインダクタ２０のインダクタンスである。また、所望の周波数において容量素子２６のインピーダンスが第３のインダクタ２４のインピーダンスに比べて十分小さくなるように、容量素子２６のキャパシタンスを定めればよい。これにより、ノイズフィルタ１０は、上記した原理通り印加されるノーマルモードノイズを減衰させることができる。
【００４９】
なお、容量素子２６はローパスフィルターを構成するために用いられており、第１のインダクタ１８のインダクタンス、第２のインダクタ２０のインダクタンス、及び容量素子２６のキャパシタンスによって、フィルタのカットオフ周波数が規定される。したがって、容量素子２６のキャパシタンスは、低減したいノーマルモードノイズの周波数帯域及び減衰量も考慮して適宜決められればよい。
【００５０】
以上説明したように、本実施の形態のノイズフィルタ１０では、ノーマルモードノイズ電圧を減衰させることができ、原理的には、ノーマルモードノイズ電圧を０Ｖに減衰することができる。したがって、ノイズフィルタ１０は、フィルタの構成部品が削減され、小型化が実現されたフィルタになっている。
【００５１】
また、ノイズフィルタ１０では、平角状の導線が用いられているので、導線の占有体積を小さくすることができる。また、ノイズフィルタ１０では、導線の断面積が大きいので、導線における発熱を低減することができる。したがって、本実施の形態によれば、大電流が流れる回路に好適に適用されるノイズフィルタの小型化が可能である。
【００５２】
また、ノイズフィルタ１０では、第１のインダクタ１８及び第２のインダクタ２０を構成する導線が共通のコア３０に巻かれている。したがって、ノイズフィルタ１０は、小型化が実現されたフィルタになっている。
【００５３】
また、ノイズフィルタ１０では、第３のインダクタ２４に容量素子２６が直列に接続されているので、第３のインダクタ２４及び容量素子２６にはノイズ電流以外の信号電流等の大きな電流が流れることがない。したがって、第３のインダクタ２４及び容量素子２６において発熱が少なく、第３のインダクタ２４及び容量素子２６にはリード部品又は表面実装部品を用いることができる。故に、本実施の形態のノイズフィルタ１０は、小型であり、且つ、大電流が流れる回路に好適に適用され得る。
【００５４】
［第２の実施の形態］
図２は、本発明の第２の実施の形態に係るノイズフィルタを示す回路図である。図２に示すノイズフィルタ１０ａは、第２の導電線１４の代わりに第２の導電線１５を備えている。ノイズフィルタ１０ａの他の構成は、第１の実施の形態のノイズフィルタ１０と同様である。
【００５５】
第２の導電線１５は、第３の端子１４ａと第４の端子１４ｂとの間に設けられている。この第２の導電線１５は、直列に設けられた第４のインダクタ１９及び第５のインダクタ２１を含んでいる。第４のインダクタ１９及び第５のインダクタ２１は、コア３１を共通にしており、平角状の導線を用いた巻線から構成されている。即ち、第４のインダクタ１９及び第５のインダクタ２１は、単一のコイルから構成されている。このコイルの構造については後述する。
【００５６】
また、第２の導電線１５は、第４のインダクタ１９と第５のインダクタ２１とを接続する接続部２３を含んでいる。この接続部２３には、ＬＣ部１６の一方の端子が接続されている。
【００５７】
すなわち、本実施の形態では、ＬＣ部１６の一端は、第１のインダクタ１８と第２のインダクタ２０との間の接続部２２に接続されており、ＬＣ部１６の他端は、第４のインダクタ１９と第５のインダクタ２１との間の接続部２３に接続されている。
【００５８】
次に、本実施の形態のノイズフィルタ１０ａの動作を説明する。第１の端子１２ａと第３の端子１４ａとの間にノーマルモードノイズ電圧Ｖｉが入力されると、当該電圧Ｖｉが第１のインダクタ１８とＬＣ部１６と第４のインダクタ１９とによって分圧され、第１のインダクタ１８の両端間とＬＣ部１６の両端間と第４のインダクタ１９の両端間とに、それぞれ、所定の電圧が発生する。なお、図中の矢印は、その先の方が高い電圧であることを表している。
【００５９】
ノイズフィルタ１０ａでは、第１のインダクタ１８と第２のインダクタ２０とは、互いに電磁気的に結合されているので、第１のインダクタ１８の両端間に発生した電圧に応じて、第２のインダクタ２０の両端間に所定の電圧が発生する。同様に、第４のインダクタ１９と第５のインダクタ２１とは、互いに電磁気的に結合されているので、第４のインダクタ１９の両端間に発生した電圧に応じて、第５のインダクタ２１の両端間に所定の電圧が発生する。第２のインダクタ２０の両端間に発生する電圧の方向及び第５のインダクタ２１の両端間に発生する電圧の方向は、ＬＣ部１６の両端間に発生する電圧の方向と逆方向であることから、これらの電圧は互いに打ち消しあう。したがって、第２の端子１２ｂと第４の端子１４ｂとの間の電圧は、第１の端子１２ａと第３の端子１４ａとの間に印加された電圧Ｖｉよりも小さくなる。
【００６０】
また、ノイズフィルタ１０ａでは、第２の端子１２ｂと第４の端子１４ｂとの間にノーマルモードノイズ電圧が印加された場合にも、上述した動作と同様にして、第１の端子１２ａと第３の端子１４ａとの間の電圧は、第２の端子１２ｂと第４の端子１４ｂとの間に印加された電圧よりも小さくなる。
【００６１】
ここで、説明の簡略化のために、第１のインダクタ１８と第２のインダクタ２０との結合係数が「ｋ１＝１」であり、第４のインダクタ１９と第５のインダクタ２１との結合係数が「ｋ２＝１」であり、容量素子２６のインピーダンスが「１／（２πｆＣ）＝０」である場合を考える。この場合、第１のインダクタ１８のインダクタンス、第２のインダクタ２０のインダクタンス、第４のインダクタ１９のインダクタンス、及び第５のインダクタ２１のインダクタンスを等しくＬ０とし、第３のインダクタ２４のインダクタンスを２Ｌ０とすると、本実施の形態のノイズフィルタは、原理的に、印加されるノーマルモードノイズ電圧を０Ｖに減衰することができる。
【００６２】
より詳細には、第１の端子１２ａと第３の端子１４ａとの間にノーマルモードノイズ電圧Ｖｉが入力されると、当該電圧Ｖｉが第１のインダクタ１８と第３のインダクタ２４と第４のインダクタ１９とによって分圧され、第１のインダクタ１８の両端間と第４のインダクタ２１の両端間とに、それぞれ、電圧１／４Ｖｉが発生する。また、第３のインダクタ２４の両端間には電圧１／２Ｖｉが発生する。そして、第１のインダクタ１８の両端間に発生した電圧１／４Ｖｉに応じて、第２のインダクタ２０の両端間にも電圧１／４Ｖｉが発生する。同様に第４のインダクタ１９の両端間に発生した電圧１／４Ｖｉに応じて、第５のインダクタ２１の両端間にも電圧１／４Ｖｉが発生する。その結果、第２の端子１２ｂと第４の端子１４ｂとの間の電圧は、第２のインダクタ２０の両端間の電圧及び第５のインダクタ２１の両端間の電圧の合計電圧１／２Ｖｉと第３のインダクタ２４の両端間の電圧１／２Ｖｉとが相殺されることによって０Ｖとなる。
【００６３】
また、第２の端子１２ｂと第４の端子１４ｂとの間にノーマルモードノイズ電圧Ｖｉが印加された場合にも、上述した動作と同様にして、第１の端子１２ａと第３の端子１４ａとの間の電圧は０Ｖとなる。
【００６４】
なお、第１のインダクタ１８のインダクタンス、第２のインダクタ２０のインダクタンス、第４のインダクタ１９のインダクタンス、及び第５のインダクタ２１のインダクタンスを等しくするためには、例えば、第１のインダクタ１８及び第２のインダクタ２０に共通のコアと、第４のインダクタ１９及び第５のインダクタ２１に共通のコアとに、それぞれ同一のコアを用い、第１のインダクタ１８の巻線（導線）の巻数、第２のインダクタ２０の巻線の巻数、第４のインダクタ１９の巻線の巻数、及び第５のインダクタ２１の巻線の巻数を等しくすればよい。また、第３のインダクタ２４のインダクタンスを他のインダクタ１８、２０、１９、２１のインダクタンスの２倍の値にするためには、例えば、第３のインダクタ２４のコアの磁路長を他のインダクタ１８、２０、１９、２１のコアの磁路長の１／２とし、第３のインダクタ２４の巻線の巻数を他のインダクタ１８、２０、１９、２１の巻線の巻数と等しくすればよい。
【００６５】
このとき、第１のインダクタ１８と第２のインダクタ２０とは一つの巻線から構成されており、第４のインダクタ１９と第５のインダクタ２１とは一つの巻線から構成されており、これらの巻線に発生するインダクタンスは巻数の二乗に比例するので、第３のインダクタ２４のインダクタンスは、第１のインダクタ１８と第２のインダクタ２０との一つの巻線に発生するインダクタンスの１／２と小さい値となっており、第４のインダクタ１９と第５のインダクタ２１との一つの巻線に発生するインダクタンスの１／２と小さい値となっている。
【００６６】
実際には、第１のインダクタ１８と第２のインダクタ２０との結合係数ｋ１、及び第４のインダクタ１９と第５のインダクタ２１との結合係数ｋ２を考慮して、第３のインダクタ２４のインダクタンスを定めればよい。具体的には、第３のインダクタ２４のインダクタンスを
Ｌ３＝Ｍ１＋Ｍ２
Ｍ１＝ｋ１・（Ｌ１・Ｌ２）１／２
Ｍ２＝ｋ２・（Ｌ４・Ｌ５）１／２
と定めればよい。ここで、Ｌ１は第１のインダクタ１８のインダクタンスであり、Ｌ２は第２のインダクタ２０のインダクタンスである。また、Ｌ４は第４のインダクタ１９のインダクタンスであり、Ｌ５は第５のインダクタ２１のインダクタンスである。また、所望の周波数において容量素子２６のインピーダンスが第３のインダクタ２４のインピーダンスに比べて十分小さくなるように、容量素子２６のキャパシタンスを定めればよい。これにより、ノイズフィルタ１０ａは、上記した原理通り印加されるノーマルモードノイズを減衰させることができる。
【００６７】
なお、容量素子２６はローパスフィルターを構成するために用いられており、第１のインダクタ１８のインダクタンス、第２のインダクタ２０のインダクタンス、第４のインダクタ１９のインダクタンス、第５のインダクタ２１のインダクタンス、及び容量素子２６のキャパシタンスによって、フィルタのカットオフ周波数が規定される。したがって、容量素子２６のキャパシタンスは、低減したいノーマルモードノイズの周波数帯域及び減衰量も考慮して適宜決められればよい。
【００６８】
以上説明したように、本実施の形態のノイズフィルタ１０ａでは、ノーマルモードノイズ電圧を減衰させることができ、原理的には、ノーマルモードノイズ電圧を０Ｖに減衰することができる。したがって、ノイズフィルタ１０ａは、第１の実施の形態と同様に、フィルタの構成部品が削減され、小型化が実現されたフィルタになっている。
【００６９】
また、ノイズフィルタ１０ａは、第１の実施の形態のノイズフィルタ１０が有する利点に加えて、以下の利点を有している。ノイズフィルタ１０ａでは、第４のインダクタ１９及び第５のインダクタ２１を構成する導線が共通のコア３１に巻かれている。したがって、ノイズフィルタ１０ａは、小型化が実現されたフィルタになっている。
【００７０】
また、ノイズフィルタ１０ａは、第１の導電線１２と第２の導電線１５とにインダクタを含む平衡回路となっており、これらのインダクタのインダクタンスを同一とすることによって、第１の導電線１２と第２の導電線１５との平衡度を良好に保つことが可能となっている。したがって、ノイズフィルタ１０ａでは、ノーマルモードノイズの放射を低減することができる。
【００７１】
［本実施の形態に係るコイルの構造］
本実施の形態の第１のインダクタ１８及び第２のインダクタ２０と、第４のインダクタ１９及び第２のインダクタ２１とをそれぞれに構成するコイルの構造について説明する。
【００７２】
図３は、本実施の形態に係るコイルを示す斜視図であり、図４は、本実施の形態に係るコイルを示す分解斜視図である。図３及び図４に示すコイル４０は、コア４２及び導線４４から構成されている。なお、図４では、コア４２が図３におけるIII−III線で破断されている。
【００７３】
コア４２は、例えば、ＭｎＺｎ系フェライトを主成分として含む材料から構成されている。コア４２は、中脚４２ａと枠体４２ｂとを有している。中脚４２ａは、本実施の形態では、所定の軸線Ｘ方向に延びる円柱状をなしている。また、枠体４２ｂは、軸線Ｘに直交する方向に延びる略角筒状をなしている。中脚４２ａはこの枠体４２ｂの内側に支持されており、中脚４２ａと枠体４２ｂとによって磁束に対する閉路が形成されている。中脚４２ａには、導線４４が旋回されている。
【００７４】
導線４４は、単一の平角状の導線である。導線４４の一端は、所定の軸線Ｘ方向に交差する方向の一方側に突出しており、導線４４の他端は、所定の軸線Ｘ方向に交差する方向の他方側に突出している。導線４４は、一端及び他端の間において、中脚４２ａに螺旋状に巻かれている。
【００７５】
中脚４２ａに巻かれた導線４４の一部は、所定の軸線Ｘ方向に交差する方向へ楕円状に突出している。このように楕円状に突出した部分が接続部４６になっている。
【００７６】
また、中脚４２ａに巻かれた導線４４による巻線のうち、接続部４６に対して一方側の巻線４４ａは、インダクタＬａを構成している。一方、中脚４２ａに巻かれた導線４４による巻線のうち、接続部４６に対して他方側の巻線４４ｂは、もう一つのインダクタＬｂを構成している。
【００７７】
即ち、インダクタＬａ、インダクタＬｂ、及び接続部４６は、単一の導線４４から構成されており、インダクタＬａ及びインダクタＬｂは、所定の軸線Ｘ方向に順に設けられている。そして、接続部４６は、インダクタＬａを構成する巻線４４ａ及びインダクタＬｂを構成する巻線４４ｂより、所定の軸線Ｘに交差する方向へ突出することによって、インダクタＬａを構成する巻線４４ａ及びインダクタＬｂを構成する巻線４４ｂと離間している。
【００７８】
接続部４６は、上記した実施の形態のＬＣ部１６の一端が接続可能な構造となっている。例えば、接続部４６の導線４４には、所定の軸線Ｘ方向に貫通する孔４８が設けられており、この孔４８の付近の導線４４の被覆が剥離されている。この孔４８に、ＬＣ部１６の一端に接続されたリード線が挿入された後に導線４４とリード線とがはんだによって接続されて、接続部４６とＬＣ部１６の一端とが接続される。
【００７９】
このリード線の端部にラグ端子が設けられているならば、導線４４とリード線とがネジ及びナットの締結によって接続されてもよい。
【００８０】
また、例えば、図５に示すように、接続部４６の導線４４の一部４９の被覆が剥離されるだけであってもよい。この場合、この部分４９に、ＬＣ部１６の一端に接続されたリード線がはんだによって接続されて、接続部４６とＬＣ部１６の一端とが接続される。
【００８１】
このように、コイル４０では、インダクタＬａとインダクタＬｂとの間の接続部４６が、軸線Ｘ方向に交差する方向に巻線４４ａ及び４４ｂより突出しているので、即ちこの接続部４６が、インダクタＬａを構成する巻線４４ａ及びインダクタＬｂを構成する巻線４４ｂと離間しているので、この接続部４６とＬＣ部１６との接続が容易である。また、インダクタＬａとインダクタＬｂとが一本の導線４４から構成されているので、インダクタＬａとインダクタＬｂとの間の接続部４６における信頼性が高い。
【００８２】
このようなコイル４０から第１のインダクタ１８及び第２のインダクタ２０を構成すると、巻線４４ａが第１のインダクタ１８を構成し、巻線４４ｂが第２のインダクタ２０を構成する。また、接続部４６が接続部２２となり、コア４２がコア３０となる。
【００８３】
また、このようなコイル４０から第４のインダクタ１９及び第５のインダクタ２１を構成すると、巻線４４ａが第４のインダクタ１９を構成し、巻線４４ｂが第５のインダクタ２１を構成する。また、接続部４６が接続部２３となり、コア４２がコア３１となる。
【００８４】
したがって、第１の実施の形態のノイズフィルタ１０及び第２の実施の形態のノイズフィルタ１０ａでは、接続部２２とＬＣ部１６との接続が容易であり、接続部２２における信頼性が高い。更に、第２の実施の形態のノイズフィルタ１０ａでは、接続部２３とＬＣ部１６との接続が容易であり、接続部２３における信頼性が高い。
【００８５】
なお、本発明は、上述の実施の形態に限定されるものではなく、種々の変形態様を構成することができる。例えば、コイル４０の接続部４６の構成は、上述した実施の形態に限定されるものではない。以下、接続部４６の変形例について、説明する。
【００８６】
［変形例１］
図６は、変形例に係る導線を示す平面図である。図６における（ａ）には、所定の軸線Ｘに交差する方向から見た状態の導線が示されており、（ｂ）には、軸線Ｘ方向に見た状態の導線が示されている。
【００８７】
図６に示すように、変形例１においても、インダクタＬａ、インダクタＬｂ、及び接続部４６が単一の平角状の導線４４から構成されている。この変形例１においては、接続部４６を構成する導線４４が、軸線Ｘに交差する方向へ巻線４４ａ及び巻線４４ｂより突出しており、鋭角に折り曲げられている。このようにして、接続部４６を構成する導線４４が、巻線４４ａ及び巻線４４ｂと離間している。
【００８８】
接続部４６を構成する導線４４には、例えば、所定の軸線Ｘ方向に貫通する孔４８が設けられており、この孔４８の付近の導線４４の被覆が剥離されている。これにより、上記したように、接続部４６とＬＣ部１６の一端とが接続可能となっている。
【００８９】
かかる変形例１の構成によれば、上記した実施の形態と同様に、インダクタＬａとインダクタＬｂとの間の接続部４６が、軸線Ｘ方向に交差する方向に突出しているので、即ちこの接続部４６が、インダクタＬａを構成する巻線４４ａ及びインダクタＬｂを構成する巻線４４ｂと離間しているので、この接続部４６とＬＣ部１６との接続が容易である。また、インダクタＬａとインダクタＬｂとが一本の導線４４から構成されているので、インダクタＬａとインダクタＬｂとの間の接続部４６における信頼性が高い。
【００９０】
［変形例２］
図７は、変形例に係る導線を示す平面図である。図７における（ａ）には、所定の軸線Ｘに交差する方向から見た状態の導線が示されており、（ｂ）には、軸線Ｘ方向に見た状態の導線が示されている。
【００９１】
図７に示すように、変形例２においても、インダクタＬａ、インダクタＬｂ、及び接続部４６が単一の平角状の導線４４から構成されている。この変形例２においては、接続部４６を構成する導線４４が、軸線Ｘ方向に延びる直線に沿って設けられている。このようにして、接続部４６を構成する導線４４が、巻線４４ａ及び巻線４４ｂと離間している。
【００９２】
接続部４６を構成する導線４４には、例えば、所定の軸線Ｘ方向に交差する方向に貫通する孔４８が設けられており、この孔４８の付近の導線４４の被覆が剥離されている。これにより、上記したように、接続部４６とＬＣ部１６の一端とが接続可能となっている。
【００９３】
なお、接続部４６とＬＣ部１６の一端との接続の作業性、及び隣の巻線との絶縁距離を確保できれば、巻線４４ａと巻線４４ｂとの離間距離は小さいことが好ましい。その結果、インダクタＬａとインダクタＬｂとの結合係数の低下を低減することができる。
【００９４】
かかる変形例２の構成によれば、インダクタＬａとインダクタＬｂとの間の接続部４６が、インダクタＬａを構成する巻線４４ａ及びインダクタＬｂを構成する巻線４４ｂと離間しているので、即ちこの接続部４６の周囲に隣り合う導線がないので、この接続部４６とＬＣ部１６との接続が容易である。また、インダクタＬａとインダクタＬｂとが一本の導線から構成されているので、インダクタＬａとインダクタＬｂとの間の接続部４６における信頼性が高い。
【００９５】
［変形例３］
図８は、変形例に係る導線を示す平面図である。図８における（ａ）には、所定の軸線Ｘに交差する方向から見た状態の導線が示されており、（ｂ）には、軸線Ｘ方向に見た状態の導線が示されている。
【００９６】
図８に示すように、変形例３においても、インダクタＬａ、インダクタＬｂ、及び接続部４６が単一の平角状の導線４４から構成されている。この変形例３においては、接続部４６を構成する導線４４と、インダクタＬａを構成する巻線４４ａ及びインダクタＬｂを構成する巻線４４ｂが、軸線Ｘ方向に離間している。
【００９７】
接続部４６では、例えば、導線４４の一部４９の被覆が剥離されている。これにより、上記したように、接続部４６とＬＣ部１６の一端とが接続可能となっている。
【００９８】
なお、接続部４６とＬＣ部１６の一端との接続の作業性、及び隣の巻線との絶縁距離を確保できれば、接続部４６を構成する導線４４と巻線４４ａ及び巻線４４ｂとの離間距離は小さいことが好ましい。その結果、インダクタＬａとインダクタＬｂとの結合係数の低下を低減することができる。
【００９９】
この構成によれば、上記した変形例２と同様に、インダクタＬａとインダクタＬｂとの間の接続部４６が、インダクタＬａを構成する巻線４４ａ及びインダクタＬｂを構成する巻線４４ｂと離間しているので、即ちこの接続部４６の周囲に隣り合う導線がないので、この接続部４６とＬＣ部１６との接続が容易である。また、インダクタＬａとインダクタＬｂとが一本の導線から構成されているので、インダクタＬａとインダクタＬｂとの間の接続部４６における信頼性が高い。
【０１００】
［変形例４］
図９は、変形例に係る導線を示す平面図である。図９における（ａ）には、所定の軸線Ｘに交差する方向から見た状態の導線が示されており、（ｂ）には、軸線Ｘ方向に見た状態の導線が示されている。
【０１０１】
図９に示すように、変形例５においては、接続部４６において導線が分割されている。即ち、変形例５においては、接続部４６がインダクタＬａ側の第１の部分４６ａとインダクタＬｂ側の第２の部分４６ｂとに分割されている。また、第１の部分４６ａとインダクタＬａを構成する巻線４４ａとが単一且つ平角上の導線から構成されており、第２の部分４６ｂとインダクタＬｂを構成する巻線４４ｂとが単一且つ平角上の別の導線から構成されている。
【０１０２】
第１の部分４６ａ及び第２の部分４６ｂは、所定の軸線Ｘに交差する方向に、巻線４４ａ及び巻線４４ｂよりも突出している。第１の部分４６ａの端部及び第２の部分４６ｂの端部が、ねじＳ及びナットＮの締結によって結合されている。このようにして、接続部４６を構成する導線４４が、巻線４４ａ及び巻線４４ｂと離間している。
【０１０３】
この場合、例えば、ＬＣ部１６の一端に接続されたリード線に設けられたラグ端子が、第１の部分４６ａの端部及び第２の部分４６ｂの端部にねじＳ及びナットＮの締結によって接続される。これにより、上記したように、接続部４６とＬＣ部１６の一端とが接続される。
【０１０４】
この変形例４の構成によれば、インダクタＬａとインダクタＬｂとの間の接続部４６が、軸線Ｘに交差する方向に突出しているので、即ちこの接続部４６が、インダクタＬａを構成する巻線４４ａ及びインダクタＬｂを構成する巻線４４ｂと離間しているので、この接続部４６とＬＣ部１６との接続が容易である。また、インダクタＬａとインダクタＬｂとは、それぞれ分割された別の導線から製作された後に接続されるので、導線を旋回することによって巻線を製作する作業が容易である。なお、第１の部分４６ａの端部及び第２の部分４６ｂの端部、並びにＬＣ部１６の接続されたラグ端子は、ねじＳ及びナットＮの締結に代えて、溶接等によって接合されていてもよい。
【０１０５】
以下、図１０を参照する。図１０は、変形例に係るノイズフィルタを示す回路図である。図１０に示すノイズフィルタ１０ｂは、ＬＣ部１６における第３のインダクタ２４及び容量素子２６の順序が異なる点において、第１の実施の形態のノイズフィルタ１０と異なっている。このように、ＬＣ部１６における第３のインダクタ２４及び容量素子２６の順序が逆転していてもよい。
【０１０６】
同様に、第２の実施の形態のノイズフィルタ１０ａにおいても、ＬＣ部１６における第３のインダクタ２４及び容量素子２６の順序が逆転していてもよい。
【０１０７】
また、本実施の形態では、コアの材料としてＭｎＺｎ系フェライトを例示したが、コアの材料には他の材料も適用可能である。コアの材料は初透磁率（比透磁率）が１以上である磁性体であればよく、例えば、ＮｉＺｎ系フェライト、ダストコア、珪素鋼板、パーマロイなどが適用可能である。
【０１０８】
また、本実施の形態のコイルを示す図では、インダクタＬａ及びインダクタＬｂの巻数が２ターンの態様を例示したが、インダクタＬａ及びインダクタＬｂの巻数は１ターン以上であれば増加しても構わない。
【０１０９】
以下、本発明の実施の形態に係るノイズフィルタの周波数特性と従来のノイズフィルタの周波数特性とについて説明する。図１１は、本発明の実施の形態に係るノイズフィルタと従来のＬＣフィルタとの周波数に対する減衰特性を示す図である。図１１には、ディファレンシャル（ノーマル）モード電圧の減衰特性を解析した結果が示されている。図１１において、曲線５０は、図１０に示す本実施の形態のノイズフィルタ１０ｂの特性を示しており、曲線５１が、図１２に示す従来のＬＣフィルタの特性を示している。
【０１１０】
この解析におけるノイズフィルタ１０ｂでは、第１のインダクタ１８及び第２のインダクタ２０を、同一のコア３０に４ターン巻かれた一本の平角状の導線から構成されたものとした。したがって、第１のインダクタ１８と第２のインダクタ２０とは電磁気的に結合しており、その結合係数はｋ＝０．９である。各素子の定数は以下の通りである。
第１のインダクタ１８：Ｌ１＝１０μＨ（巻数２ターン）
第２のインダクタ２０：Ｌ２＝１０μＨ（巻数２ターン）
容量素子：Ｃ＝０．１μＦ
第３のインダクタ：Ｌ３＝９μＨ
なお、第３のインダクタのインダクタンスをＬ３＝ｋ×（Ｌ１×Ｌ２）１／２とすることで、周波数特性が極を有さないようにした。
【０１１１】
また、この解析における従来のＬＣフィルタは、図１２に示す構成の回路とした。即ち、図１２に示すＬＣフィルタ６０は、第１の導電線６２、第２の導電線６４、及び容量素子６６を備えている。第１の導電線６２は、第１の端子６２ａと第２の端子６２ｂとの間に設けられており、直列に設けられた第１のインダクタ７２及び第２のインダクタ７４を含んでいる。第１のインダクタ７２と第２のインダクタ７４との間の接続部７６には、容量素子６６の一端が接続されている。容量素子６６の他端は、第３の端子６４ａと第４の端子６４ｂとの間に設けられた第２の導電線６４に接続されている。
【０１１２】
第１のインダクタ７２は、コア７８に巻かれた導線から構成されており、第２のインダクタ７４は、コア７８とは別のコア８０に巻かれた導線から構成されている。コア７８とコア８０とはそれぞれ別のコアからなり、これらのコアは本実施の形態のコア３０と同一のものとした。即ち、第１のインダクタ７２と第２のインダクタ７４とは電磁気的に結合していない。なお、第１のインダクタ７２と第２のインダクタ７４との合計の巻数は、ノイズフィルタ１０ａの第１のインダクタ１８と第２のインダクタ２０との合計の巻数と同一とした。各素子の定数は以下の通りである。
第１のインダクタ７２：１０μＨ
第２のインダクタ７４：１０μＨ
容量素子６６：Ｃ＝０．１μＦ
【０１１３】
図１１に示されるように、ノイズフィルタ１０ｂでは、従来のＬＣフィルタ６０に比べて、広帯域にわたって減衰特性がよいことがわかる。
【図面の簡単な説明】
【０１１４】
【図１】本発明の第１の実施の形態に係るノイズフィルタを示す回路図である。
【図２】本発明の第２の実施の形態に係るノイズフィルタを示す回路図である。
【図３】本実施の形態に係るコイルを示す斜視図である。
【図４】本実施の形態に係るコイルを示す分解斜視図である。
【図５】別の実施の形態に係るコイルを示す斜視図である。
【図６】変形例に係る導線を示す平面図である。
【図７】変形例に係る導線を示す平面図である。
【図８】変形例に係る導線を示す平面図である。
【図９】変形例に係る導線を示す平面図である。
【図１０】変形例に係るノイズフィルタを示す回路図である。
【図１１】本実施の形態に係るノイズフィルタと従来のＬＣフィルタとの周波数に対する減衰特性を示す図である。
【図１２】従来のＬＣフィルタを示す回路図である。
【符号の説明】
【０１１５】
１０…ノイズフィルタ、１２…第１の導電線、１２ａ…第１の端子、１２ｂ…第２の端子、１４…第２の導電線、１４ａ…第３の端子、１４ｂ…第４の端子、１６…ＬＣ部、１８…第１のインダクタ、２０…第２のインダクタ、２２…接続部、２４…第３のインダクタ、２６…容量素子、３０…コア、３０ａ…中脚、３２…導線。
【図１】
2007067941.tif 000003
【図２】
2007067941.tif 000004
【図３】
2007067941.tif 000005
【図４】
2007067941.tif 000006
【図５】
2007067941.tif 000007
【図６】
2007067941.tif 000008
【図７】
2007067941.tif 000009
【図８】
2007067941.tif 000010
【図９】
2007067941.tif 000011
【図１０】
2007067941.tif 000012
【図１１】
2007067941.tif 000013
【図１２】
2007067941.tif 000014